(57)【要約】【課題】ペットを安全、快適に、しかも周囲に迷惑をかけたりしないように運搬する目的で用いるバッグやキャリーケースには、通気性とバッグ内外の見通しを確保するために、その壁にメッシュ付き窓を設けたものがある。このような従来のバッグにおいては、この窓の開閉を、カバー部材の巻き上げ、巻き戻し操作と、複数のスナップボタンにより行わなければならず、手間がかかることに加え、カバー部材が取り外せないので、この個所のデザインが固定されて、ファッション性に劣るという問題点がある。【解決手段】そこで本発明では、バッグ本体２の壁３にメッシュ付き窓４を設けると共に、この窓４よりも大きな蓋体５を別体として設け、バッグ本体２と蓋体５には、蓋体５が窓４を覆う位置で吸着するように磁石６を設け、バッグ本体２の窓４の近傍には支持部材７を設け、蓋体５には支持部材７に着脱可能な取付部材８を設けたペット収納用バッグ１を提案する。【選択図】    図１
2009189319.tif 000002
【特許請求の範囲】
【請求項１】
バッグ本体の壁にメッシュ付き窓を設けると共に、この窓よりも大きな蓋体を別体として設け、バッグ本体と蓋体には、蓋体が窓を覆う位置で吸着するように磁石を設け、バッグ本体の上記窓の近傍には支持部材を設け、蓋体には支持部材に着脱可能な取付部材を設けたことを特徴とするペット収納用バッグ。
【請求項２】
バッグ本体の壁にメッシュ付き窓を設けると共に、この窓よりも大きな蓋体を別体として設け、バッグ本体と蓋体には、蓋体が窓を覆う位置で吸着するように磁石と、磁石に吸着される金属を設け、バッグ本体の上記窓の近傍には支持部材を設け、蓋体には支持部材に着脱可能な取付部材を設けたことを特徴とするペット収納用バッグ。
【請求項３】
バッグ本体に設ける支持部材はリングで構成し、蓋体に設ける取付部材は引掛けフックで構成したことを特徴とする請求項１又は２に記載のペット収納用バッグ。
【請求項４】
バッグ本体の外側に蓋体を収容するポケット部を設けたことを特徴とする請求項１又は２に記載のペット収納用バッグ。
【請求項５】
ひとつのバッグ本体と、色、模様等のデザインが異なる複数の蓋体とから構成したことを特徴とする請求項１又は２に記載のペット収納用バッグ。
【発明の詳細な説明】
【技術分野】
【０００１】
本発明は、犬等のペット（愛玩動物）を運搬する際などに使用するバッグに関するものである。
【背景技術】
【０００２】
犬等のペットを安全、快適に、しかも周囲に迷惑をかけたりしないように運搬する目的で、従来よりバッグやキャリーケースが用いられている。
【０００３】
例えば、特許文献１には、図５に示すような小動物運搬用バッグが記載されている。これはバッグ本体１００の中にペット犬（図示省略）等の小動物を、上部の開口１０１から収納して、持ち手１０２を掴んで持ち運ぶものである。ペット犬等の小動物をバッグ本体１００の中に収納して運搬できるので、電車やバスに乗って出掛けるときでも、小動物を安全に持ち歩くことができる。
【０００４】
バッグ本体１００の横側には、メッシュ素材で形成した窓部１０３を設けている。これは通気性を確保するとともに、バッグ本体１００内に収容した小動物が、窓部１０３から外を見ることができるようにしたり、あるいは飼い主が窓部１０３からバッグ本体１００内の小動物の様子を確認できるようにしたものである。
【０００５】
例えば、夜間や混雑した車内等においては、窓部１０３を閉じて、バッグ本体１００内に収容した小動物を落ち着かせる必要があり、このために窓部１０３にはカバー部材１０４を取付け、このカバー部材１０４により窓部１０３を開閉できるようにしている。
【特許文献１】実用新案登録第３１０９８８３号公報
【発明の開示】
【発明が解決しようとする課題】
【０００６】
前記の特許文献１で提案されている小動物運搬用バッグにおいては、カバー部材１０４により、窓部１０３を開閉できるようにしているが、このカバー部材１０４の開閉操作は、きわめて手間がかかるという問題点がある。すなわち、窓部１０３を開とするときは、カバー部材１０４を丹念に巻き上げたうえ、カバー部材１０４に取付けたスナップボタン１０５Ｕを、バッグ本体１００に取付けたスナップボタン１０５Ｔに係合させて、これを保持しなければならないし、また窓部１０３を閉とするときは、まずカバー部材１０４に取付けたスナップボタン１０５Ｕと、バッグ本体１００に取付けたスナップボタン１０５Ｔとの係合関係を解除したうえで、さらにカバー部材１０４を巻き戻し、そのうえでカバー部材１０４に取付けたスナップボタン１０５Ｌを、バッグ本体１００に取付けたスナップボタン１０５Ｂに係合させて、これを保持しなければならない、というきわめて煩雑な操作が必要である。本発明はこのような課題を解決することを目的とするものである。
【課題を解決するための手段】
【０００７】
以上の課題を解決するために，本発明では、バッグ本体の壁にメッシュ付き窓を設けると共に、この窓よりも大きな蓋体を別体として設け、バッグ本体と蓋体には、蓋体が窓を覆う位置で吸着するように磁石を設け、バッグ本体の上記窓の近傍には支持部材を設け、蓋体には支持部材に着脱可能な取付部材を設けたペット収納用バッグを提案する。バッグ本体と蓋体の両方に磁石を設ける代わりに、一方側のみに磁石を設け、他方側には磁石が吸着する金属を設けても良い。
【０００８】
また本発明では、上記の構成において、バッグ本体に設ける支持部材はリングで構成し、蓋体に設ける取付部材は引掛けフックで構成したペット収納用バッグを提案する。
【０００９】
また本発明では、上記の構成において、バッグ本体の外側に蓋体を収容するポケット部を設けたペット収納用バッグを提案する。
【００１０】
更に本発明では、上記の構成において、一つのバッグ本体と、色、模様等のデザインが異なる複数の蓋体とから構成したペット収納用バッグを提案する。
【発明の効果】
【００１１】
本発明のペット収納用バッグは、その本体の中に、犬等のペットを収納した状態で、ペットを運搬できるので、電車やバスを利用して出掛けるときでも、ペットを安全、快適に、しかも周囲に迷惑をかけたりすることなく連れていくことができる。
【００１２】
さらに、本発明のペット収納用バッグは、バッグ本体の壁にメッシュ付き窓を設けると共に、この窓よりも大きな蓋体を別体として設けているので、蓋体で窓を覆わないで、窓を開としておけば、この窓を介して、充分な通気性が確保できることに加え、バッグ本体内に収納したペットは、この窓から外を見ることができるし、また逆に、飼い主等のペット運搬者は、窓からバッグ本体内に収納したペットの様子を観察することができる。また、夜間や混雑した車内等においては、バッグ本体内に収納したペットが興奮しないように、蓋体で窓を覆い、窓を閉としておけば、バッグ本体内に収納したペットは窓から外の様子を見ることができなくなるので、落ち着かせることができる。
【００１３】
本発明のペット収納用バッグにおいては、バッグ本体と蓋体に、蓋体が窓を覆う位置で吸着するように磁石を設けているので、蓋体による窓の開閉操作を極めて簡単にする効果がある。すなわち、窓を閉めるには、蓋体で窓を覆うだけの操作で良く、バッグ本体と蓋体のそれぞれに設けた磁石、又は磁石と金属との吸着力により、蓋体が窓を覆う状態を保持することができる。また、窓を覆っている蓋体を、手で軽くバッグ本体から引き離すだけで、磁石の吸着力は解け、したがって窓を開の状態に保持することができる。
【００１４】
しかしながら、蓋体で窓を覆い、窓を閉めているときは、磁石の吸着力だけで蓋体を支持しているので、例えば混雑した車内での人や壁との接触等により、不意な外力が蓋体に加わると、蓋体が脱落し、紛失したりする恐れがあるので、本発明においては、こうした蓋体の脱落を防止するために、バッグ本体の窓の近傍に支持部材を設けるとともに、蓋体にはこの支持部材に着脱可能な取付部材を設けている。蓋体で窓を覆い、窓を閉めるときには、蓋体の取付部材をバッグ本体の窓の近傍に設けた支持部材に取付けておけば、万が一不意な外力が蓋に加わっても、これがバッグ本体から脱落するのを防ぐことができる。
【００１５】
また、窓を開けて置くときは、窓を覆っている蓋体を、手で軽くバッグ本体から引き離し、それと相前後して蓋体の取付部材をバッグ本体の支持部材から取外せば、蓋体はバッグ本体から離れるので、これをバッグ本体の外側に設けたポケットに収容することにより、容易に収容できて、邪魔にならない。
【００１６】
本発明においては、バッグ本体と蓋体とが別体に構成されているので、ペット収納用バッグを、一つのバッグ本体と、色、模様等のデザインが異なる複数の蓋体とから構成することができ、ペット収納用バッグのファッション性を高める効果がある。例えば、飼い主等のペット運搬者は、自分の衣装に合った蓋体を、複数の蓋体の中から選んで、バッグ本体と共に持ち歩いて使用し、ペットと一緒におしゃれを楽しむことができる。
【発明を実施するための最良の形態】
【００１７】
次に、本発明を実施するための最良の形態を図１〜図４を参照して説明する。なお、図１、図２および図４はいずれ斜視図であり、図３は一部を拡大した側面図である。
【００１８】
図に示すように、本発明のペット収納用バッグ１は、バッグ本体２の壁３にメッシュ付き窓４を設けると共に、この窓４よりも大きな蓋体５を別体として設け、バッグ本体２と蓋体５には、蓋体５が窓４を覆う位置で吸着するように磁石６（６ａ、６ａ’、６ｂ、６ｂ’）を設け、バッグ本体２の窓４の近傍には支持部材７を設け、蓋体５には支持部材７に着脱可能な取付部材８を設けている。
【００１９】
バッグ本体２に設ける磁石６ａ、６ｂは、例えばメッシュ付き窓４の左右方向の長さよりも短い、適当な間隔を開けて、バッグ本体２の壁３に縫い付ける等して取付けた手持ち用帯体９に、布片等を重ね合わせて縫い付けて取り付ける。また、バッグ本体２に設ける支持部材７は金属製等のリングを、窓４の近傍の手持ち用帯体９に縫い付ける等して設ける。
【００２０】
蓋体５は例えば、窓４よりもやや大きめな軽量のプラスチック製板材を、適宜な布材で覆って構成する。そして、蓋体５に設ける磁石６ａ’、６ｂ’は、これを覆いうる大きさの適宜な布片等を、これに重ねて合わせて、蓋体５を覆った布材に縫い付ける等して取り付ける。磁石６ａ’、６ｂ’の蓋体５に対する取付け位置は、蓋体５で窓４を覆ったときに、磁石６ａと６ａ’、６ｂと６ｂ’がそれぞれ対向するような位置とする。また、蓋体５に設ける取付部材８は、バッグ本体２に設けた金属製等のリングで構成した支持部材７に着脱可能な、適宜な金属製等の引掛けフックを、蓋体５に縫い付ける等して構成する。
【００２１】
また、同じサイズの蓋体５に対し、磁石６ａ’、６ｂ’、と取付部材８を同じように設けたうえで、それぞれの表面を覆う布材の色や模様等のデザインを変えて、これらを、ひとつのバッグ本体２に対して用意しておけば、ひとつのバッグ本体２に対して、好みの蓋体５を選んで使用することができるので、ペット収納用バッグ１のファッション性を高めることができる。
【００２２】
この実施の形態では、ペット（図示省略）は図２に示すように、バッグ本体２の上部に設けた開口１０より出し入れする。開口１０は、布状メッシュ蓋１１と布状ブラインド蓋１２により開閉することができる。メッシュ蓋１１とブラインド蓋１２は、ブラインド蓋１２をメッシュ蓋１１の上側にして、それぞれの一端は一緒に、バッグ本体２に固定して、固定端としている。そして、メッシュ蓋１１の両側は、ファスナ１３によりバッグ本体２に対し着脱可能に構成するとともに、その開放端の下側には、バッグ本体２の面ファスナ１４に対応する面ファスナ１４’を設け、さらにその上側には、ブラインド蓋１２の開放端下側に設けた面ファスナ１５に対応する面ファスナ１５’を設けている。
【００２３】
ファスナ１３と面ファスナ１４、１４’を外し、メッシュ蓋１１の開放端を持ち上げれば、開口１０は開状態になるので、ここからペットを出し入れすることができる。バッグ本体２にペットを収納している状態においては、ペットが飛び出したりしないように、ファスナ１３と面ファスナ１４、１４’を閉めれば、メッシュ蓋１１により開口１０を閉状態にすることができる。この状態で、ブラインド蓋１２のファスナ１５、１５’を外して巻き付け、バッグ本体２に取り付けた１対の紐状留め具１６で固定すれば、バッグ本体２の上部はメッシュ蓋１１のみが覆う状態になるので、このメッシュを介して、バッグ本体への通気性を保つことができる。また、夜間等において、開口１０からバッグ本体２内部への光の差し込みを遮断したい場合には、紐状留め具１６の固定を解除し、ブラインド蓋１２を巻き戻してから、ファスナ１５、１５’を閉めると、ブラインド蓋１２がバッグ本体２の上部を覆うので、バッグ本体２内を暗くすることができる。
【００２４】
図１のように、蓋体５が窓４を覆っていない状態においては、この窓４を介して、充分な通気性が確保できることに加え、バッグ本体２内に収納したペットは、この窓４から外を見ることができるし、また逆に、飼い主等のペット運搬者（図示省略）は、窓４からバッグ本体２内に収納したペットの様子を観察することができる。
【００２５】
蓋体５は、バッグ本体２の壁３に近づけて、蓋体５に設けた磁石６ａ’、６ｂ’を、バッグ本体２に設けた磁石６ａ、６ｂに、それぞれ吸着させれば、図２に示すように、窓４を覆った状態で保持することができる。したがって、例えば、夜間や混雑した車内等においては、バッグ本体２内に収納したペットが興奮しないように、蓋体５で窓４を覆い、窓４を閉としておけば、バッグ本体２内に収納したペットは窓４から外の様子を見ることができなくなるので、落ち着かせることができる。
【００２６】
蓋体５で窓４を覆い、窓４を閉めているときは、磁石６の吸着力だけで蓋体５を支持しているので、例えば混雑した車内での人や壁との接触等により、不意な外力が蓋体５に加わると、蓋体５が脱落し、紛失したりする恐れがある。これを防ぐために、バッグ本体２の窓４の近傍に設けたリング等の支持部材７に、蓋体５に設けた引掛けフック等の取付部材８を取付けておく。
【００２７】
また、窓４を開けて置くときは、窓４を覆っている蓋体５を、手で軽くバッグ本体２から引き離し、それと相前後して蓋体５の取付部材８をバッグ本体２の支持部材７から取外せば、蓋体５はバッグ本体２から離れるので、これをバッグ本体２の適所に収容することにより邪魔とならない。
【００２８】
この実施の形態においては、図４に示すように、バッグ本体２の外側の横側に、一つ又は複数の蓋体５を収容可能に形成したサイドポケット１７を設けている。したがって、窓４を覆わない蓋体５は、このサイドポケット１７に収容しておけるので、バッグ１の持ち運び時においては、バッグ本体２と蓋体５を一括して取り扱えて運搬し易く、しかも保管時におけるバッグ１の納まりも良好である。また、複数の蓋体５を収容可能に構成した場合には、異なったデザインの蓋体５を持ち歩いて、適宜に変更して使用することができる。
【産業上の利用可能性】
【００２９】
以上のように、本発明のペット収納用バッグは、まず第１に、飼い主にとって大切なペットを安全に運搬できるという基本的な機能を備えていることはもちろんであるが、第２に、通気性とバッグ内外の見通しを確保するためにバッグ本体の壁に設けたメッシュ付き窓の開閉操作が、蓋体の着脱だけで行えて、極めて簡単であること、第３に、デザインが異なる複数の蓋体から、好みのものを選んで使えて、ファッション性に優れていること、第４に、蓋体をサイドポケットに収容でき、運搬性、保管性に優れていること、等の理由により、その産業上の利用可能性はきわめて大である。
【図面の簡単な説明】
【００３０】
【図１】本発明に係るペット収納用バッグの一形態を示す斜視図である。
【図２】本発明に係るペット収納用バッグの一形態を示す斜視図である。
【図３】一部を拡大した側面図である。
【図４】本発明に係るペット収納用バッグの一形態を示す斜視図である。
【図５】従来例の説明図である。
【符号の説明】
【００３１】
１                ペット収納用バッグ
２                バッグ本体
３                壁
４                メッシュ付き窓
５（５ａ、５ｂ、…  ）            蓋体
６（６ａ、６ａ’、６ｂ、６ｂ’）    磁石
７                支持部材
８                取付部材
９                手持ち用帯体
１０              開口
１１              布状メッシュ蓋
１２              布状ブラインド蓋
１３              ファスナ
１４（１４、１４’）    面ファスナ
１５（１５、１５’）    面ファスナ
１６              紐状留め具
１７              サイドポケット
１００            従来例の小動物運搬用バッグ本体
１０１            開口
１０２            持ち手
１０３            窓部
１０４            カバー部材
１０５（１０５Ｕ、１０５Ｌ）  カバー部材１０４に取付けたスナップボタン
１０５（１０５Ｔ、１０５Ｂ）  バッグ本体１００に取付けたスナップボタン
【図１】
2009189319.tif 000003
【図２】
2009189319.tif 000004
【図３】
2009189319.tif 000005
【図４】
2009189319.tif 000006
【図５】
2009189319.tif 000007